(57)【要約】      （修正有）【課題】手元供養ができる仏具を提供する。【解決手段】遺骨を収容するほぼ球形の容器１２と椀状の鐘１４を有する。容器１２と鐘１４とは、着脱可能に組み合わされている、容器１２の蓋２０には、鎖１８で繋がれて垂れ下がるように錘１６が取付けられている。この容器１２を持って振ることにより、錘１６が揺れて、鐘１４を叩くことができる。この仏具によれば、どこでも簡単に手元供養ができる。容器１２と鐘１４と鐘１４を叩く錘１６とを一体化して、デザイン性のある仏具として実用性質が高い。容器１２の蓋２０と錘１６とは、容器１２と鐘１４とを組み合わせたときに生じる中空部に収容することもできる。【選択図】図１
0003208528.tif 000002
【実用新案登録請求の範囲】
【請求項１】
遺骨を収容するほぼ球形の容器と、この容器と着脱可能に組み合わされる、椀状の鐘と、
上記容器の蓋に繋がれて垂れ下がり、容器を振ることにより揺れて、鐘を叩く錘を備えたことを特徴とする仏具。
【請求項２】
上記容器の蓋と錘とは上記の容器と鐘とを組み合わせたときに生じる中空部に収容されていることを特徴とする請求項１に記載の仏具。
【請求項３】
上記容器の蓋と錘とは上記の容器と鐘とを組み合わせたときに両者を吊り下げるストラップに繋がれていることを特徴とする請求項１に記載の仏具。
【考案の詳細な説明】
【技術分野】
【０００１】
本考案は、仏事等に使用され、特に手元供養に適した仏具に関する。
【背景技術】
【０００２】
仏具には、祭壇に置く燭台や花台、あるいは各種の装飾品や容器がある。また、位牌やお骨を収納する容器がある。また、持ち運びができる遺骨等の容器も知られている。（例えば、特許文献１、２参照）。
【先行技術文献】
【特許文献】
【０００３】
【特許文献１】登録実用新案第３０４６４９８号公報
【特許文献２】登録実用新案第３１２２４８５号公報
【考案の概要】
【考案が解決しようとする課題】
【０００４】
遠方の墓地に墓参りに行く機会は限られている。家庭に大きな仏壇を備えることも少なくなっている。従って、例えば、故人の写真を飾った場所で手軽に手元供養をすることが増える傾向にある。本考案は、そのような生活様式に適するデザイン性のある多機能な仏具を提供することを目的とする。
【課題を解決するための手段】
【０００５】
以下の構成はそれぞれ上記の課題を解決するための手段である。
【０００６】
＜構成１＞
遺骨を収容するほぼ球形の容器と、この容器と着脱可能に組み合わされる、椀状の鐘と、
上記容器の蓋に繋がれて垂れ下がり、容器を振ることにより揺れて、鐘を叩く錘を備えたことを特徴とする仏具。
【０００７】
＜構成２＞
上記容器の蓋と錘とは上記の容器と鐘とを組み合わせたときに生じる中空部に収容されていることを特徴とする構成１に記載の仏具。
【０００８】
＜構成３＞
上記容器の蓋と錘とは上記の容器と鐘とを組み合わせたときに両者を吊り下げるストラップに繋がれていることを特徴とする構成１に記載の仏具。
【考案の効果】
【０００９】
＜構成１の効果＞
遺骨を収容する容器と鐘と鐘を叩く錘とをまとめて一体化できるデザイン性のある仏具として実用性が高い。
＜構成２の効果＞
鐘を叩く錘が鐘の中に収容されているように組み立てられるので、全体としてすっきりとし外観になる。  
＜構成３の効果＞
鐘を叩く錘が容器と鐘とを一緒に吊り下げるストラップに繋がれていると、持ち運びに
便利な構造になる。
【図面の簡単な説明】
【００１０】
【図１】図１（ａ）は本考案の仏具の斜視図で（ｂ）はその使用状態の斜視図である。
【図２】容器１２と蓋２０の構造を示す斜視図である。
【図３】蓋２０と容器１２の側面図である。
【図４】鐘１４の平面図と側面図である。
【図５】本考案の仏具の変形例を示す斜視図である。
【考案を実施するための形態】
【００１１】
以下、本考案の実施の形態を実施例毎に詳細に説明する。
【実施例１】
【００１２】
図１（ａ）は本考案の仏具の斜視図で（ｂ）はその使用状態の斜視図である。
図の仏具は、ほぼ球形の容器１２と椀状の鐘１４を有する。容器１２は遺骨を収容する空洞を備えている。その構造は後で図２と図３を用いて説明する。容器１２と鐘１４とは、着脱可能に組み合わされている。鐘１４を平坦な場所に置いたとき、容器１２をその上に乗せて落下しなければよい。ぴったりと嵌まりあうように寸法が調整されていればよく、特にねじ止め等の加工は不用である。容器１２はほぼ球形で外表面に何も加工されていないほうがデザイン性が高い。
【００１３】
容器１２には遺骨を収容する部分を塞ぐように蓋２０が設けられている。この蓋２０には、鎖１８で繋がれて垂れ下がるように錘１６が取付けられている。蓋２０と錘１６とは、錘１６を振り子のように振ることができるように、柔軟な紐や鎖１８で繋ぐようにする。
【００１４】
この構造により、図１（ｂ）に示すように、蓋２０を指２２で摘まんで、容器１２を持って振ることにより、錘１６が揺れて鐘１４を叩くことができる。この仏具によれば、どこでも簡単に手元供養ができる。
【００１５】
図のように、容器１２と鐘１４と鐘１４を叩く錘１６とを一体化して、デザイン性のある仏具とすることができる。なお、図１（ａ）に示すように、この実施例の場合には、容器１２の蓋２０と錘１６とは、容器１２と鐘１４とを組み合わせたときに生じる中空部３２に収容することができる。
【００１６】
図２は容器１２と蓋２０の構造を示す斜視図である。図３は蓋２０と容器１２の側面図である。
これらの図に示すように、例えば、容器１２はプラスチックを成型して実現することができる。容器１２の内部には、遺骨を収容できる収容部２８が設けられている。蓋２０の雄ねじ２４と容器１２の雌ねじ２６とを噛み合わせることにより容器１２に蓋２０を固定して収容部２８に蓋をする。
【００１７】
蓋２０に設けられた取り付け孔３０に例えば、図２に示したような鎖１８を通して、錘１６を吊り下げる。蓋２０は鉄や真鍮等の金属で構成するとよい。また錘１６は鐘の音を響かせるためにできるだけ固くて少し重量のあるものがよい。例えば、ガラスや石や金属が適する。図のように、宝石のようにカットされた水晶等を使用すると質感が良く、さらにデザイン性を高めることができる。
【００１８】
図４は鐘１４の平面図と側面図である。
鐘１４は、既知の仏具に広く使用されている金属材料により構成するとよい。小型でも十分良い音色で鳴るものが適するといえる。十分に重量があれば、図１（ａ）に示すようにして飾っておいても安定である。
【実施例２】
【００１９】
図５は、本考案の仏具の変形例を示す斜視図である。
この実施例では、容器１２の蓋２０と錘３４とはストラップ３６により繋がれている。この場合には、容器１２と鐘１４とを持ち上げても分離しない程度に着脱可能に結束するとよい。例えば、容器１２側にマグネットが埋め込まれていれば、鐘１４を吸着させることができる。こうして、持ち運びに便利な構造にすることもできる。
【００２０】
この場合のストラップ３６はカラフルな糸をより合わせたもの等が適する。錘３４にはガラス細工等を使用することもできる。この構造によりこの仏具を持ち歩いて、好きな場所で手元供養をすることが可能になる。
【符号の説明】
【００２１】
１２  容器
１４  鐘
１６  錘
１８  鎖
２０  蓋
２２  指
２４  雄ねじ
２６  雌ねじ
２８  収容部
３０  取り付け孔
３２  中空部
３４  錘
３６  ストラップ
【図１】
0003208528.tif 000003
【図２】
0003208528.tif 000004
【図３】
0003208528.tif 000005
【図４】
0003208528.tif 000006
【図５】
0003208528.tif 000007